(57)【要約】【課題】受信装置に印加されるデータの通信フレームパターンが複数の近距離通信プロトコルのうちのいずれのプロトコルに属するかを迅速に検出することができる通信モード検出方法を提供する。【解決手段】本発明の通信モード検出方法によれば、近距離通信イニシエータから伝送されるデータの通信フレームパターンを予め設定されたサンプリングクロックに同期して受信する段階が用意される。通信モードの検出は、通信フレームパターンのうちのスタートパターンを分析することによって達成される。通信モードが迅速に検出されると共に、通信モードセッティングのため別途の動作を実行することなくてもデータが自動受信されるので、受信装置の動作パフォーマンスが改善される。【選択図】      図４
2011175627.tif 000002
【特許請求の範囲】
【請求項１】
近距離通信イニシエータから伝送されるデータの通信フレームパターンを予め設定されたサンプリングクロックに同期して受信する段階と、
前記通信フレームパターンのうちスタートパターンを分析して前記通信フレームパターンが複数の近距離通信プロトコルのうちいずれのプロトコルに属しているかを示す通信モードを検出する段階とを有することを特徴とする通信モード検出方法。
【請求項２】
前記スタートパターンはＴＹＰＥＡ１０６の場合にＳパターンを含むことを特徴とする請求項１に記載の通信モード検出方法。
【請求項３】
前記スタートパターンはＴＹＰＥＢ１０６の場合にＳＯＦパターンであることを特徴とする請求項１に記載の通信モード検出方法。
【請求項４】
前記スタートパターンはＴＹＰＥＦ２１２の場合にＳＹＮＣパターンであることを特徴とする請求項１に記載の通信モード検出方法。
【請求項５】
前記スタートパターンはＴＹＰＥＦ４２４の場合にＳＹＮＣパターンであることを特徴とする請求項１に記載の通信モード検出方法。
【請求項６】
前記スタートパターンの分析の時、前記ＴＹＰＥＡ１０６の場合に前記Ｓパターン後のデータ１ビットが前記スタートパターンにさらに含まれることを特徴とする請求項２に記載の通信モード検出方法。
【請求項７】
前記設定されたサンプリングクロックはＴＹＰＥＦ４２４のデータを８倍オーバーサンプリングする周波数を有するクロックであることを特徴とする請求項６に記載の通信モード検出方法。
【請求項８】
前記通信モードの検出の後に対応するプロトコルによるデコーディング及びデグレーディングを実行する段階をさらに有することを特徴とする請求項６に記載の通信モード検出方法。
【請求項９】
近距離通信のための受信装置において、
印加されるデータの通信フレームパターンのうちスタートパターンを予め設定されたサンプリングクロックによって分析し、前記通信フレームパターンが複数の近距離通信プロトコルのうちのいずれのプロトコルに属しているかを示す通信モードを検出し、前記データを受信する検出及び受信部と、
前記通信モードの検出に応答して対応するプロトコルによるデコーディング及びデグレーディングを実行した後、デグレーディングされたデータをメモリに格納するデコーディング及びメモリ部とを具備することを特徴とする近距離通信のための受信装置。
【請求項１０】
前記データが近距離通信イニシエータから伝送される場合に、前記受信装置はＴＹＰＥＡ１０６、ＴＹＰＥＢ１０６、ＴＹＰＥＦ２１２、及びＴＹＰＥＦ４２４のデータを選択的に受信することができる近距離通信ターゲットであることを特徴とする請求項９に記載の近距離通信のための受信装置。
【発明の詳細な説明】
【技術分野】
【０００１】
本発明は近距離通信に係り、さらに詳細には、近距離通信のための受信装置とそれによる通信モード検出方法に関する。
【背景技術】
【０００２】
一般的にデータを送る伝送装置と伝送されたデータを受信する受信装置とが互いに数十センチメートル乃至数メートル以内の近距離に位置する場合にＮＦＣ（Ｎｅａｒ  Ｆｉｅｌｄ  Ｃｏｍｍｕｉｃａｔｉｏｎ）が実行される。例えば、非接触式の電子決済または情報認識のために携帯電話などのようなマルチメディア機器は決められたＮＦＣプロトコルでリーダ機器と通信することができる。
【０００３】
ＮＦＣシステムにおいて、伝送データは各々決められたコーディング方式でソースコーディング（ｓｏｕｒｃｅ  ｃｏｄｉｎｇ）された後に伝送チャンネルを通じて伝送される。例えば、ＩＳＯ  １８０９２のイニシエータはマンチェスターコーディングされた信号をＮＦＣターゲットに伝送する。
【０００４】
このＮＦＣイニシエータ（Ｉｎｉｔｉａｔｏｒ）は伝送初期にＴＹＰＥＡ  １０６ｋｂｐｓ、ＴＹＰＥＢ  １０６ｋｂｐｓ、ＴＹＰＥＦ  ２１２ｋｂｐｓ（ＦＥＬＩＣＡ  ２１２ｋｂｐｓ）、及びＴＹＰＥＦ  ４２４ｋｂｐｓ（ＦＥＬＩＣＡ  ４２４ｋｂｐｓ）の通信フレームパターンでデータを伝送することができる。したがって、ＮＦＣターゲットがデータを受信するためには通信フレームパターンがＮＦＣプロトコルのうちのいずれのプロトコルであるかを先ず検出しなければならない。しかし、データは様々なプロトコルのうち一つの通信モードがターゲットで予め設定された後に伝送されるわけではないので、ＮＦＣターゲット（Ｔａｒｇｅｔ）には前記のような多様なプロトコルの通信モードを全部検出して受信することができる装置が必要である。
【０００５】
データの通信フレームパターンがどのプロトコルに属しているかを判断するための、ＮＦＣ通信モードを検出する典型的な方法は、ＮＦＣターゲット内にＴＹＰＥＡ  １０６、ＴＹＰＥＢ  １０６、ＦＥＩＬＩＣＡ  ２１２、ＦＥＬＩＣＡ  ４２４の各々のプロトコルを受信することができる受信装置を全部具備しておき、ＣＰＵなどのような制御処理部によってＴＹＰＥＡ  １０６、ＴＹＰＥＢ  １０６、ＦＥＬＩＣＡ  ２１２、ＦＥＬＩＣＡ  ４２４を周期的に一つずつセッティングするものである。したがって、あるモードがセッティングされた場合にデータが正常に受信されると判断されれば、通信モードは該セッティングされたモードとして決められる。しかし、このような典型的なモード検出方法は通信モードの検出時間が比較的長くかかり、ソフトウェア的に複雑な手続きを要するので、受信装置のパフォーマンス低下をもたらす。
したがって、近距離通信で迅速に通信モードを検出し、且つデータを受信することができる近距離通信のための受信テクニックが要望されている。
【先行技術文献】
【特許文献】
【０００６】
【特許文献１】米国特許出願公開第２００９−００５１４９８号公報
【発明の概要】
【発明が解決しようとする課題】
【０００７】
本発明の課題は、データの受信の時、迅速に通信モードを検出することができる通信モード検出方法を提供することにある。
本発明の他の課題は、印加されるデータの通信モードを迅速に検出し、且つ通信モードセッティングのための別途の動作を実行することなく、データを自動で受信することができる方法及び受信装置を提供することにある。
【０００８】
本発明のまた他の課題は、多様な通信モードのうちの一つを通信フレームパターンの一部を利用して区別することができる通信モード検出方法及び受信装置を提供することにある。
本発明のまた他の課題は、近距離通信ターゲットの受信性能を改善することができる通信モード検出方法を提供することにある。
【課題を解決するための手段】
【０００９】
本発明の実施形態の一態様による通信モード検出方法は、近距離通信イニシエータから伝送されるデータの通信フレームパターンを予め設定されたサンプリングクロックに同期して受信する段階と、前記通信フレームパターンのうちのスタートパターンを分析して前記通信フレームパターンが複数の近距離通信プロトコルのうちのいずれのプロトコルに属しているかを示す通信モードを検出する段階とを有する。
【００１０】
本発明の実施形態において、前記スタートパターンはＴＹＰＥＡ  １０６の場合にＳパターンを含むことができる。また、前記スタートパターンはＴＹＰＥＢ  １０６の場合にＳＯＦパターンであり得る。ＴＹＰＥＦ  ２１２及び４２４の場合に各々ＳＹＮＣパターンであり得る。
本発明の実施形態において、前記スタートパターンの分析の時、前記ＴＹＰＥＡ  １０６の場合には前記ＴＹＰＥＦ  ２１２との区別のために前記Ｓパターン後のデータ１ビットを前記スタートパターンにさらに含むことができる。
【００１１】
本発明の実施形態において、前記設定されたサンプリングクロックはＴＹＰＥＦ  ４２４のデータを８倍オーバーサンプリングする周波数を有するクロックであり得る。
本発明の実施形態において、前記通信モードの検出の後に対応するプロトコルによるデコーディング及びデグレーディングを実行する段階をさらに具備することができる。
【００１２】
本発明の実施形態の他の態様による近距離通信のための受信装置は、印加されるデータの通信フレームパターンのうちスタートパターンを予め設定されたサンプリングクロックによって分析し、前記通信フレームパターンが複数の近距離通信プロトコルのうちのいずれのプロトコルに属しているかを示す通信モードを検出して前記データを受信する検出及び受信部と、前記通信モードの検出に応答して対応するプロトコルによるデコーディング及びデグレーディングを実行した後、デグレーディングされたデータをメモリに格納するデグレーディング及びメモリ部とを具備する。
【００１３】
本発明の実施形態において、前記データが近距離通信イニシエータから伝送される場合に、前記受信装置はＴＹＰＥＡ  １０６、ＴＹＰＥＢ  １０６、ＴＹＰＥＦ  ２１２、及びＴＹＰＥＦ  ４２４のデータを選択的に受信することができる近距離通信ターゲットであり得る。
【００１４】
本発明の実施形態において、前記デコーディング及びメモリ部から印加されるリクエストデータに応答して前記メモリに格納されたデグレーディングデータをリードし、検出された通信モードを確認する処理制御部をさらに具備することができる。
本発明の実施形態において、前記スタートパターンの分析の時、前記ＴＹＰＥＦ  ４２４に基準し、前記ＴＹＰＥＦ  ２１２とＴＹＰＥＡ  １０６のデータは２倍オーバーサンプリングされ、ＴＹＰＥＢ  １０６のデータは８倍オーバーサンプリングされ得る。
【００１５】
本発明の実施形態のまた他の態様による近距離通信システムは、データを伝送する近距離通信イニシエータと、データの通信フレームパターンのうちスタートパターンを予め設定されたサンプリングクロックによって分析し、前記通信フレームパターンが複数の近距離通信プロトコルのうちのいずれのプロトコルに属しているかを示す通信モードを検出し、前記データを受信する検出及び受信部と、前記通信モードの検出に応答して対応するプロトコルによるデコーディング及びデグレーディングを実行した後、デグレーディングされたデータをメモリに格納するデコーディング及びメモリ部を含む近距離通信ターゲットとを具備する。
【００１６】
本発明の実施形態において、前記近距離通信イニシエータはカードリーダ機器であり得る。また、前記近距離通信ターゲットはスマートカードを内蔵した携帯用マルチメディア端末機であり得る。
【発明の効果】
【００１７】
本発明の実施形態によれば、受信装置に印加されるデータの通信フレームパターンが複数の近距離通信プロトコルのうちのいずれのプロトコルに属するかを迅速に検出すると共に、通信モードセッティングのため別途の動作を実行しなくてもデータを自動で受信する。したがって、受信装置の動作パフォーマンスが改善される。
【図面の簡単な説明】
【００１８】
【図１】本発明の実施形態に適用される近距離通信システムの概略的ブロック図。
【図２】図１の近距離通信システムで用いられるデータの通信フレーム構造を示す図。
【図３】図２の通信フレームのうちスタートパターンを各々比較的に示すタイミング図。
【図４】図１の近距離通信システムのうち本発明の実施形態に係る近距離通信ターゲットの詳細ブロック図。
【図５】図４の検出及び受信部の通信モード検出動作を示すフローチャート。
【図６】図１の近距離通信システムをリーダ機器と携帯用マルチメディア端末機に適用した例示的ブロック図。
【発明を実施するための形態】
【００１９】
以上の本発明の目的、他の目的、特徴及び利点は添付の図面を参照し、以下の望ましい実施形態を通じて容易に理解することができる。しかし、本発明はここで説明する実施形態に限定されず、他の形態への具体化も可能である。さらに、ここで紹介する実施形態は開示された内容が徹底且つ完全になれるように、そして当業者に本発明の思想を十分に伝達するように提供されるものである。
【００２０】
本明細書において、ある素子またはラインが対象素子ブロックに接続されると記載された場合、それは直接的に接続されるか、または他の素子を通じて対象素子ブロックに間接的に接続され得ることを意味する。
また、明細書の全体にかけて同一参照番号は同一構成要素を示す。図面において、素子及びラインのサイズは技術的内容の効果的な説明のために示すだけであり、他の素子、または回路ブロックをさらに具備することができる。
ここに説明及び例示される実施形態はそれの相補的な実施形態も含む。
先ず、図１は、本発明の実施形態に適用される近距離通信システムの概略的ブロック図である。
【００２１】
図１を参照すれば、近距離通信システムはＮＦＣイニシエータ１０とＮＦＣターゲット２０とを含んでいる。ＮＦＣターゲット２０は本発明の実施形態に係る受信装置として機能し、検出及び受信部２５を具備している。ＮＦＣイニシエータ１０がＴＹＰＥＡ  １０６、ＴＹＰＥＢ  １０６、ＴＹＰＥＦ  ２１２、またはＴＹＰＥＦ  ４２４のデータを伝送する場合に、ＮＦＣターゲット２０は検出及び受信部２５を通じて伝送されたデータの通信フレームパターンが複数の近距離通信プロトコルのうちのいずれのプロトコルに属するかを迅速に検出し、通信モードセッティングのための別途の動作を実行することなくデータを自動で受信する。したがって、ＮＦＣターゲット２０の動作パフォーマンスが改善される。
【００２２】
以下では通信モードの検出に関する例を詳細に説明する。
図２には図１の近距離通信システムで用いられるデータの通信フレーム構造を示している。図２の通信フレーム２１０はＴＹＰＥＡ  １０６を示し、通信フレーム２２０はＴＹＰＥＢ  １０６を示す。また、通信フレーム２３０はＴＹＰＥＦ  ２１２またはＴＹＰＥＦ  ４１４を示す。
【００２３】
通信フレーム２１０はスタートパターン（Ｓ）２１１、データパターン２１２、２１４、２１６、パリティパターン２１３、２１５、及びエンドパターン（Ｅ）２１７からなる。
通信フレーム２２０はスタートパターンとしてのファイルスタート（ＳＯＦ）２２１、データパターン２２３、２２５、２２７、スタート区間２２２、２２６、ストップ区間２２４、２２８、及びエンドパターンとしてのファイルエンド（ＥＯＦ）２２９からなる。
通信フレーム２３０はプリアンブルパターン２３１、スタートパターンとしての同期パターン（ＳＹＮＣ）２３２、長さパターン２３３、データパターンとしてのペイロード２３４、及びＣＲＣパターン２３５からなる。
【００２４】
図２に示すように、ＴＹＰＥＡの場合、スタートビット（Ｓｔａｒｔ  ｂｉｔ）が存在し、ＴＹＰＥＢの場合、ＳＯＦパターン（Ｐａｔｔｅｒｎ）が存在し、ＴＹＰＥＦの場合、ＳＹＮＣパターンが存在するので、これを比較することによって、どのプロトコルであるかを区別することができる。
図３は、図２の通信フレームのうちスタートパターンを各々比較的に示すタイミング図である。
【００２５】
図３を参照すれば、タイム区間Ｔ１０でロー及びハイレベルを有するスタートパターン２１１ＡはＴＹＰＥＡ  １０６であり、データがＯである場合のＳパターン波形を示す。
タイム区間Ｔ１２でロー及びハイレベルを有するスタートパターン２１１ＢはＴＹＰＥＡ  １０６であり、データが１である場合のＳパターン波形を示す。
【００２６】
タイム区間Ｔ２０でローレベルを有するスタートパターン２２１はＴＹＰＥＢ  １０６である場合のＳＯＦパターン波形を示す。
タイム区間Ｔ２２でハイ及びローレベルを有するスタートパターン２３２ＡはＴＹＰＥＦ  ２１２のＳＹＮＣパターン波形を示す。
タイム区間Ｔ２４でハイ及びローレベルを有するスタートパターン２３２ＢはＴＹＰＥＦ  ４２４のＳＹＮＣパターン波形を示す。
【００２７】
本発明の実施形態では、図３に示す通信フレームパターンのうちのスタートパターンを分析して迅速に通信モードを検出する。ここで、スタートパターンの分析は図４の検出及び受信部２５によって実行される。
図４は、図１の近距離通信システムのうち本発明の実施形態に係る近距離通信ターゲットの詳細ブロック図である。
【００２８】
図４を参照すれば、受信装置としてのＮＦＣターゲットは、検出及び受信部２５と、クロック発生器２１と、デコーディング及びメモリ部２２と、処理制御部２３とを含んでいる。
検出及び受信部２５は印加されるデータの通信フレームパターンのうちスタートパターンを予め設定されたサンプリングクロックによって分析して、通信フレームパターンが複数の近距離通信プロトコルのうちのいずれのプロトコルに属しているかを示す通信モードを検出し、データを受信する。
【００２９】
クロック発生器２１はサンプリングクロックを発生してラインＬ３を通じて出力する。ここで、予め設定されたサンプリングクロックの周波数はＴＹＰＥＦ  ４２４のデータを８倍オーバーサンプリングする周波数である。
デコーディング及びメモリ部２２は通信モードの検出に応答して対応するプロトコルによるデコーディング及びデグレーディング（ｄｅｇｒａｄｉｎｇ）を実行した後、デグレーディングされたデータをＦＩＦＯメモリに格納する。
【００３０】
処理制御部２３はデコーディング及びメモリ部２２から印加されるリクエストデータに応答してＦＩＦＯメモリに格納されたデグレーディングデータをリードし、検出された通信モードを確認する。
【００３１】
図４のように構成された近距離通信ターゲットは、データが近距離通信イニシエータから伝送される場合に、受信装置はＴＹＰＥＡ  １０６、ＴＹＰＥＢ  １０６、ＴＹＰＥＦ  ２１２、及びＴＹＰＥＦ  ４２４のデータを選択的に受信することができる。
【００３２】
スタートパターンを予め設定されたサンプリングクロックによって分析する場合に、ＴＹＰＥＡ  １０６のスタートパターンにはＳパターンが基本的に含まれる。また、ＴＹＰＥＦ  ２１２との区別のためにＳパターン後のデータ１ビットをスタートパターンにさらに含むことができる。結局、スタートパターンを比較すれば、ＴＹＰＥＦ  ４２４とＴＹＰＥＢ  １０６とはタイミング的に互いに差があるが、ＴＹＰＥＡ  １０６とＴＹＰＥＦ  ２１２とはタイミング的に互いに差がない。したがって、通信モードの区別が難しくて、本発明の実施形態ではＴＹＰＥＡ  １０６の場合にはスタートパターンだけではなく、スタートパターンＳ後のデータ１ビットを検出するスタートパターンに追加する。
【００３３】
ＴＹＰＥＢ  １０６の場合に、スタートパターンはＳＯＦパターンになり、ＴＹＰＥＦ  ２１２の場合、またはＴＹＰＥＦ４２４の場合に、スタートパターンはＳＹＮＣパターンになる。
スタートパターンの分析の時、ＴＹＰＥＦ  ４２４を基準とし、ＴＹＰＥＦ  ２１２とＴＹＰＥＡ  １０６のデータは２倍オーバーサンプリングされ、ＴＹＰＥＢ  １０６のデータは８倍オーバーサンプリングされる。ＴＹＰＥＦ  ４２４のサンプリングはサンプリングクロックの周波数が６．７８ＭＨｚの場合に８倍オーバーサンプリングされる。
【００３４】
図５は、図４の検出及び受信部の通信モード検出動作を示すフローチャートである。
段階５００で初期化実行が行われた後、段階５０１で通信フレームパターンのうちのスタートパターンを分析するためにエッジが検出されたか否かをチェックする。すなわち、ハイからローへ遷移されるか、またはローからハイへ遷移されるエッジがあれば、スタートパターンのデータレベルはハイ（“１”）またはロー（”０”）として判定される。
【００３５】
段階５１０、段階５１１、及び段階５１２は受信データのＮＦＣプロトコルがＴＹＰＥＡ  １０６であるか否かを検出するために用意される。サンプリングクロックを用いてエッジを検出した結果として、段階５１０で２ビットの“０”がサーチされれば、段階５１１で何ビットの“１”がサーチされたかがチェックされる。２個（２ビット）の“０”がサーチされた以後に６〜８個の“１”がサーチされた場合であれば、図３の２１１Ａ波形が検出された場合であるので、段階５１２でＴＹＰＥＡ  １０６モードが判定され、開始データＳ＿ＤＡＴＡは“０”として判定される。
【００３６】
一方、２個の“０”がサーチされた以後に１０〜１２個の“１”がサーチされた場合であれば、図３の２１１Ｂ波形が検出された場合であるので、段階５１２でＴＹＰＥＡ  １０６モードが判定され、開始データＳ＿ＤＡＴＡは“１”として判定される。開始データＳ＿ＤＡＴＡの論理レベルと、ＴＹＰＥＡ  １０６モードのコーディング情報、及びオーバーサンプリングに対するデグレーディング情報はＳＤＡＴＡ、ＭＩＬ（ミラーコーディング）、及びＢＮ／２（Ｂｉｔ  Ｎｕｍｂｅｒ／２）として各々出力されてバスラインＬ２を通じて図４のデコーディング及びメモリ部２２に印加される。これによって、デコーディング及びメモリ部２２はラインＬ１から印加されるデータをバスラインＬ２を通じて受け、ＭＩＬ情報によってミラーデコーディングを行う。
【００３７】
デコーディングされたデータはＢＮ／２情報によってデグレーディングされる。この場合にデコーディングされたデータのビット数が半分に減る。デグレーディングデータは受信用ＦＩＦＯメモリに格納される。以後、データのエンドパターン（Ｅｎｄ  ｐａｔｔｅｒｎ）が検出されれば、デコーディング及びメモリ部２２は受信インターラプトＲＸ＿ＩＮＴをラインＬ４を通じて処理制御部２３に印加する。
【００３８】
ＦＩＦＯメモリに格納されたデータＲＸ＿ＤＡＲＡはラインＬ５を通じて処理制御部２３に印加され、この時、検出されたモード信号ＭＯＤＥもラインＬ６を通じて処理制御部２３に印加される。処理制御部２３はノイズ（Ｎｏｉｓｅ）によってデータ誤検出の確率を減らすために、受信インターラプトＲＸ＿ＩＮＴ、データＲＸ＿ＤＡＲＡ、及びモード信号ＭＯＤＥを受信し、ＲＥＱＡ、ＲＥＱＢ、ＡＴＲ  ＲＥＱであるか否かを判断することによって、モード検出の正確性を確認し、データ処理を実行する。
【００３９】
再び図５を参照すれば、段階５２０と段階５２１とは受信データのＮＦＣプロトコルがＴＹＰＥＢ  １０６であるか否かを検出するために用意される。段階５２０で８０〜８８個の０がサーチされた場合であれば、図３の２２１波形が検出された場合であるので、段階５２１でＴＹＰＥＢモードが判定される。ＴＹＰＥＢモードのコーディング情報とオーバーサンプリングに対するデグレーディング情報はＮＲＺ（ＮＲＺコーディング）、及びＢＮ／８として各々出力されてバスラインＬ２を通じて図４のデコーディング及びメモリ部２２に印加される。デコーディング及びメモリ部２２はバスラインＬ２を通じて受信されるデータをＮＲＺ情報によってＮＲＺデコーディングを行う。デコーディングされたデータはＢＮ／８情報によって１／８にデグレーディングされる。
【００４０】
段階５３０と段階５３１とは受信データのＮＦＣプロトコルがＴＹＰＥＦ  ２１２であるか否かを検出するために用意される。段階５３０で２ビットずつ９Ａ５９６５Ａ６  Ｈｅｘがサーチされた場合であれば、図３の２３２Ａ波形が検出された場合であるので、段階５３１でＴＹＰＥＦ  ２１２（ＦＥＬＩＣＡ  ２１２）モードが判定される。結局、ＴＹＰＥＦ  ２１２のＳＹＮＣパターン（Ｂ２４Ｄ  Ｈｅｘ）をサーチする場合に、ＳＹＮＣパターンはマンチェスターコーディング（Ｍａｎｃｈｅｓｔｅｒ  ｃｏｄｉｎｇ）された後受信されるので、９Ａ５９６５Ａ６  Ｈｅｘを検出しなければならない。
【００４１】
また、ここでＴＹＰＥＦ  ２１２の場合にはＴＹＰＥＦ４２４に比べて２倍ずつオーバーサンプリング（Ｏｖｅｒ  ｓａｍｐｌｉｎｇ）されるので、２ビットずつの９Ａ５９６５Ａ６  Ｈｅｘをサーチするようになる。ＴＹＰＥＦ  ２１２モードのコーディング情報とオーバーサンプリングに対するデグレーディング情報とはＭＣＳ（マンチェスターコーディング）、及びＢＮ／２として各々出力されてバスラインＬ２を通じて図４のデコーディング及びメモリ部２２に印加される。
【００４２】
段階５４０と段階５４１とは受信データのＮＦＣプロトコルがＴＹＰＥＦ  ４２４であるか否かを検出するために用意される。段階５４０で１ビットずつの９Ａ５９６５Ａ６  Ｈｅｘがサーチされた場合であれば、図３の２３２Ｂ波形が検出された場合であるので、段階５４１でＴＹＰＥＦ  ４２４（ＦＥＬＩＣＡ  ４２４）モードが判定される。ＴＹＰＥＦ  ４２４モードのコーディング情報とオーバーサンプリングに対するデグレーディング情報とはＭＣＳ（マンチェスターコーディング）、及びＢＮとして各々出力されてバスラインＬ２を通じて図４のデコーディング及びメモリ部２２に印加される。この場合にＢＮは１であるので、データのデグレーディングはなくなる。
【００４３】
このように、スタートパターンを検出することによって、通信モードを迅速に検出すると共に、通信モードセッティングのための別途の動作が実行されなくてもデータが自動で受信される。
【００４４】
図６は、図１の近距離通信システムをリーダ器と携帯用マルチメディア端末機とに適用した例示的ブロック図である。
図６を参照すれば、リーダ器１０ａは図１のＮＦＣイニシエータ１０と同一の機能を実行する。スマートカードを内蔵する携帯用マルチメディア端末機２０ａは図１のＮＦＣターゲット２０と同様に検出及び受信部２５を具備する。携帯用マルチメディア端末機２０ａは液晶ディスプレイなどのような画面表示部２６を具備することができる。
【００４５】
リーダ器１０ａがＴＹＰＥＡ  １０６、ＴＹＰＥＢ  １０６、ＴＹＰＥＦ  ２１２、またはＴＹＰＥＦ  ４２４のデータを伝送する場合に、携帯用マルチメディア端末機２０ａは図５のような検出制御流れを実行する検出及び受信部２５を通じて迅速に通信モードを検出し、通信モードセッティングのための動作を別に実行することなくデータを自動で受信する。したがって、携帯用マルチメディア端末機２０ａの近距離通信の受信動作パフォーマンスが改善される。
【００４６】
上述のように、本発明の実施形態によれば、受信装置に印加されるデータの通信フレームパターンが複数の近距離通信プロトコルのうちのいずれのプロトコルに属するかを迅速に検出すると共に通信モードセッティングのための動作を別に実行することなくデータが自動で受信される。したがって、受信装置の動作パフォーマンスが改善される。
【００４７】
本発明の実施形態では近距離通信ターゲットとしての受信装置を中心として説明したが、これに限定されず、他の通信端末機の場合にも本発明の実施形態を拡張して適用することができることは勿論である。
上述の説明では本発明の実施形態を中心として図面を参照して説明したが、本発明の技術的思想の範囲内で本発明を多様に変形または変更することができることは本発明が属する分野の当業者には明白である。例えば、事案が異なる場合に、本発明の技術的思想を逸脱せず、受信装置内の詳細回路構成またはこれと接続される回路ブロックの配置手順及び詳細構成を多様に変形または変更することができることは勿論である。
【符号の説明】
【００４８】
１０  ＮＦＣイニシエータ
２０  ＮＦＣターゲット
２５  検出及び受信部
２２  デコーディング及びメモリ部
【図１】
2011175627.tif 000003
【図２】
2011175627.tif 000004
【図３】
2011175627.tif 000005
【図４】
2011175627.tif 000006
【図５】
2011175627.tif 000007
【図６】
2011175627.tif 000008